(57)【要約】【課題】素足で履くフットカバーにおいて、歩行時およびパンプスの脱ぎ履き時にフットカバーが、踵の部分から脱げてしまったり履き位置がずれない。【解決手段】このフットカバー１００は、爪先と踵を含む足底とを被覆するとともに足甲および足首を露出するフットカバーであって、爪先部１０２Ａ、足底部１０４Ａ、側辺部１０２Ｂおよび踵部１０４Ｂで形成され、爪先部１０２Ａと側辺部１０２Ｂとが１枚の第１の生地１０２で、足底部１０４Ａと踵部１０４Ｂとが１枚の第２の生地１０４で、それぞれ構成され、踵の部分に足幅方向に沿った縫い目を備えない。【選択図】図１
2015045097.tif 000002
【特許請求の範囲】
【請求項１】
爪先と踵を含む足底とを被覆するとともに足甲および足首を露出するフットカバーであって、足底部、側辺部、踵部および前記爪先を覆う爪先部で形成され、
前記足底部に対して上下反対側に足を出し入れするための開口部を設け、
前記開口部の上縁の少なくとも一部に伸縮性細幅生地を設け、
前記足底部と前記踵部とが１枚の生地で構成され、前記踵部に足幅方向に沿った縫い目を備えないことを特徴とするフットカバー。
【請求項２】
前記側辺部と前記爪先部とが１枚の生地で構成され、
２枚の生地を縫着して構成されていることを特徴とする、請求項１に記載のフットカバー。
【発明の詳細な説明】
【技術分野】
【０００１】
本発明は、着用するとパンプス（履き口である甲部分が大きく開いている主として婦人用の靴）等の靴の内側に隠れて見えなくなるフットカバーに関し、特に、歩行等の動作によっても脱げたり位置ずれすることが少ないフットカバーに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバーが、以下の先行技術文献に開示されている。
【０００４】
特開平１０−２９２２０６号公報（特許文献１）は、歩行時におけるパンプスとフットカバーとの摩擦によってフットカバーが素足から脱げてしまったり、パンプスの脱ぎ履き時にフットカバーが脱げてしまったり履き位置がずれてしまったりすることを防止するために、踵当接部内面に摩擦付与体を取り付けたフットカバーを開示する。
実用新案登録第３１６５７３３号公報（特許文献２）は、特許文献１に開示されたフットカバーの開口部の周縁に沿ってゴム紐を設けたのでは、ゴム紐が足に食い込むため、足にゴム紐の型が付いてしまったり、痛みを感じたり、履き心地が良くないという問題があったことに鑑み、開口部の周縁に沿って平ゴムを設けて一面が足に接するようにした帯状伸縮部を形成したフットカバーを開示する。
【先行技術文献】
【特許文献】
【０００５】
【特許文献１】特開平１０−２９２２０６号公報
【特許文献２】実用新案登録第３１６５７３３号公報
【発明の概要】
【発明が解決しようとする課題】
【０００６】
しかしながら、特許文献１に開示されたフットカバーの摩擦付与体だけでは十分でない場合があり、この場合には、歩行時、パンプスの脱ぎ履き時にフットカバーが脱げてしまったり履き位置がずれてしまったりする。特許文献２に開示された平ゴムでは、開口部の周縁の全体に亘って平ゴムを設けているため（平ゴムの伸縮性にもよるが）、フットカバーを履くときに開口部が十分に開かないで履きにくい場合があることに加えて、特許文献１に開示されたフットカバーと同じく、パンプスの脱ぎ履き時にフットカバーが脱げてしまったり履き位置がずれてしまったりする問題もある。
【０００７】
特に、従来のフットカバーにおいて、足底部と踵部とを別々の生地で構成してそれらの生地が縫製されている場合、縫い目が踵に引っ掛かってしまうことがあり、歩行時やパンプスの脱ぎ履き時にフットカバーが脱げてしまったり履き位置がずれてしまったりする問題がある。
本発明は、従来技術の上述の問題点に鑑みて開発されたものであり、その目的とするところは、フットカバーを履くときに開口部が十分に開いて履きやすく、かつ、歩行時およびパンプスの脱ぎ履き時にフットカバーが（特に踵の部分から）脱げてしまったり履き位
置がずれてしまったりすることがないフットカバーを提供することを目的とする。
【課題を解決するための手段】
【０００８】
上記目的を達成するため、本発明に係るフットカバーは以下の技術的手段を講じている。
すなわち、本発明に係るフットカバーは、爪先と踵を含む足底とを被覆するとともに足甲および足首を露出するフットカバーであって、足底部、側辺部、踵部および前記爪先を覆う爪先部で形成され、前記足底部に対して上下反対側に足を出し入れするための開口部を設け、前記開口部の上縁の少なくとも一部に伸縮性細幅生地を設け、前記足底部と前記踵部とが１枚の生地で構成され、前記踵部に足幅方向に沿った縫い目を備えないことを特徴とする。
【０００９】
好ましくは、前記踵部は、前記足底部の踵側において足底から立ち上がる鉛直方向に延設され、前記側辺部の踵側と前記踵部とが、前記鉛直方向に沿って踝の方向へ向いた縫い目により縫着するように構成することができる。
さらに好ましくは、前記側辺部と前記爪先部とが１枚の生地で構成され、２枚の生地を縫着して構成することができる。
【００１０】
さらに好ましくは、前記踵部の上縁に、前記伸縮性細幅生地よりも緊締力の大きい伸縮部を備えるように構成することができる。
【発明の効果】
【００１１】
本発明のフットカバーによれば、フットカバーを履くときに開口部が十分に開いて履きやすく、かつ、歩行時およびパンプスの脱ぎ履き時にフットカバーが（特に踵の部分から）脱げてしまったり履き位置がずれてしまったりすることがないようにできる。
【図面の簡単な説明】
【００１２】
【図１】本発明の実施の形態に係るフットカバーの全体斜視図である。
【図２】図１のフットカバーを裏返した全体斜視図である。
【図３】図１のフットカバーを踵後方から見た背面図である。
【図４】図３のフットカバーを裏返した背面図である。
【発明を実施するための形態】
【００１３】
以下、本発明の実施の形態に係るフットカバーを、図面に基づき詳しく説明する。なお、フットカバーの構造には様々なものがあり、本発明は特定の構造に限定されるものではなく、後述する特徴を備えたものであれば、どのようなフットカバーの構造であっても、フットカバーを構成する生地の種類、生地の型紙およびその縫製がどのようなものであっても構わない。そのため、以下に示すフットカバーの構造自体は単なる例示でしかない。なお、いずれのフットカバーを形成する生地も伸縮性生地である。
【００１４】
図１および図２に本発明の実施の形態に係るフットカバー１００の斜視図を、図３および図４にこのフットカバー１００を踵後方から見た背面図を、それぞれ示す。図１は、フットカバー１００の全体斜視図であって、図２はこのフットカバー１００を裏返した全体斜視図であって、図３は、このフットカバー１００を踵後方から見た背面図であって、図４は、このフットカバー１００を裏返した背面図であって、図１−図４のいずれの図も着用者の足Ｆにフットカバー１００を着用している状態を想定している。すなわち、本発明の実施の形態に係るフットカバー１００は、パンティストッキング等の伸縮性生地で形成されているために、このように想定して図示しない場合には縮んだ状態となり、形状を理解することが困難なため、上述のように想定している。
【００１５】
このフットカバー１００は、着用者の足Ｆの爪先と踵を含む足底とを被覆するとともに足甲および足首を露出するフットカバーである。このフットカバー１００は、着用時にパンプスから露出することのないよう履き口である開口部が大きくカットされた薄手の伸縮性生地（パンティストッキング等の生地）で形成されている。
フットカバー１００は、爪先部１０２Ａ、足底部１０４Ａ、側辺部１０２Ｂおよび踵部１０４Ｂで形成されている。そして、足底部１０４Ａに対して上下反対側に足を出し入れするための開口部が設けられている。この開口部を形成する爪先部１０２Ａおよび側辺部１０２Ｂの上縁の少なくとも一部に、伸縮性細幅生地１１６が設けられている。このフッ
トカバー１００においては、後述する踵伸縮部１１８の部分を除いて、開口部の全周の亘って伸縮性細幅生地１１６が設けられている。なお、このように開口部の全周（踵伸縮部１１８の部分を除く）ではなく、爪先部１０２Ａの上側の後縁には伸縮性細幅生地１１６を設けないようにしても構わない。
【００１６】
そして、特徴的であるのは、爪先部１０２Ａと側辺部１０２Ｂとが１枚の第１の生地１０２により構成され、足底部１０４Ａと踵部１０４Ｂとが１枚の第２の生地１０４により構成され、これら２枚の生地が縫着されてこのフットカバー１００が構成されている点と、踵の部分に足幅方向に沿った縫い目を備えない点とである。さらに詳しくは、踵部１０４Ｂは、足底部１０４Ａの踵側において足底から立ち上がる鉛直方向に延設されて構成されており、側辺部１０２Ｂの踵側と踵部１０４Ｂとが、鉛直方向に沿って踝（くるぶし）Ｍの方向へ向いた縫い目である踵縫着部１０６Ｃにより縫着されている。
【００１７】
また、このフットカバー１００は、上述したように、第１の生地１０２および第２の生地１０４の２枚の生地を縫着して構成されている。さらに詳しくは、第１の生地１０２の爪先部１０２Ａの足底側と第２の生地１０４の足底部１０４Ａとは爪先縫着部１０６Ａにより、第１の生地１０２の側辺部１０２Ｂの足底側と第２の生地１０４の足底部１０４Ａとは側辺縫着部１０６Ｂにより、第１の生地１０２の側辺部１０２Ｂの踵側と第２の生地１０４の踵部１０４Ｂとは踵縫着部１０６Ｃにより、それぞれ縫着されて、フットカバー１００を形成している、そして、これらの爪先縫着部１０６Ａ、側辺縫着部１０６Ｂおよび踵縫着部１０６Ｃは、１本の縫着部１０６で構成されているので製造工程を簡略化できるので好ましい。
【００１８】
このようにこのフットカバー１００においては、足底部１０４Ａと踵部１０４Ｂとが１枚の第２の生地１０４で構成しているために、従来のフットカバーのように足底部と踵部とが別々の生地で縫製されている場合に発生する縫い目が踵に引っ掛かって歩行時やパンプスの脱ぎ履き時にフットカバーが脱げてしまったり履き位置がずれてしまったりする問題を回避することができる。
【００１９】
さらに、このフットカバー１００においては、踵部１０４Ｂの上縁に伸縮性細幅生地１１６よりも緊締力の大きい踵伸縮部１１８を備える。この踵伸縮部１１８は、踵伸縮縫着部１０８により踵部１０４Ｂに縫着されている。この踵伸縮部１１８により、歩行時やパンプスの脱ぎ履き時において、踵伸縮部１１８は、踵の部分からこのフットカバー１００が脱げてしまうことを防止している。この踵伸縮部１１８は、たとえば、伸縮性細幅生地１１６よりも細い形状のゴム紐で構成されており、その緊締力は伸縮性細幅生地１１６よりも大きく、踵の上方の部分をしっかりと締めて、踵の部分からこのフットカバー１００が脱げてしまうことを防止している。
【００２０】
さらに、踵部１０４Ｂにおいて、足Ｆが接する側（内側）には、シリコン樹脂等の薄い透明のシートで形成された踵部滑り止めを設けることも好ましい。これにより、足Ｆの踵との密着性を高めてフットカバー１００が足Ｆの踵の部分からずれることをさらに防止することができる。なお、この踵部滑り止めは、本発明に係るフットカバーにおいて必須の構成ではない。
【００２１】
さらに、足底部１０４Ａにおいて、足Ｆが接する側と反対側（パンプスを履いたときにパンプスの内底に接する側）には、シリコン樹脂等の薄いシートで形成された足底部滑り止めを設けることも好ましい。これにより、パンプスの内底との密着性を高めてパンプス内におけるフットカバー１００の位置がずれることを防止できる。なお、この足底部滑り止めも、本発明に係るフットカバーにおいて必須の構成ではない。
【００２２】
なお、伸縮性細幅生地１１６は、爪先部１０２Ａおよび側辺部１０２Ｂを構成する第１の生地１０２、ならびに、足底部１０４Ａおよび踵部１０４Ｂを形成する第２の生地１０４のいずれかと同じ生地で形成されていても構わないし、これらの第１の生地１０２ならび第２の生地１０４のいずれとも異なる生地で形成されていても構わない。
このフットカバー１００においては、爪先部１０２Ａおよび側辺部１０２Ｂを構成する第１の生地１０２、ならびに、足底部１０４Ａおよび踵部１０４Ｂを形成する第２の生地１０４が同じ生地で形成されており、伸縮性細幅生地１１６がこれらの生地と同じ共生地
である。すなわち、このフットカバー１００は、全て同じ伸縮性生地で形成されている。なお、このフットカバー１００において、伸縮性細幅生地１１６は、第１の生地１０２に、熱プレス装置により接合されている。
【００２３】
また、フットカバー１００において、このフットカバー１００を形成する、第１の生地１０２（爪先部１０２Ａおよび側辺部１０２Ｂ）ならびに第２の生地１０４（足底部１０４Ａおよび踵部１０４Ｂ）が同じ生地とは限らず、伸縮性細幅生地１１６がこれらのいずれの生地とも異なるか、または、これらのいずれかの生地と同じであっても構わない。すなわち、このフットカバー１００は、第１の生地１０２（爪先部１０２Ａおよび側辺部１０２Ｂ）ならびに第２の生地（足底部１０４Ａおよび踵部１０４Ｂ）は同じ生地であっても異なる生地であってもよく、伸縮性細幅生地１１６はこれらの第１の生地１０２および第２の生地１０４と異なる伸縮性生地であっても同じ伸縮性生地であっても構わない。
【００２４】
以上のようにして、本実施の形態に係るフットカバー１００によると、足底部１０４Ａと踵部１０４Ｂとが１枚の第２の生地１０４で構成しているために、従来のフットカバーのように足底部と踵部とが別々の生地で縫製されている場合に発生する問題である、縫い目が踵に引っ掛かって歩行時やパンプスの脱ぎ履き時にフットカバーが脱げてしまったり履き位置がずれてしまったりする問題、を回避することができる。さらに、このフットカバー１００によると、踵部１０４Ｂの上縁に伸縮性細幅生地１１６よりも緊締力の大きい踵伸縮部１１８を備えるために、歩行時やパンプスの脱ぎ履き時に踵の部分からフットカバーが脱げてしまったり履き位置がずれてしまったりする問題を回避することができる。
【００２５】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２６】
本発明は、素足で履くフットカバーに好適であり、フットカバーを履くときに開口部が十分に開いて履きやすく、かつ、歩行時およびパンプスの脱ぎ履き時にフットカバーが（特に踵の部分から）脱げてしまったり履き位置がずれてしまったりすることがない点で特に好ましい。
【符号の説明】
【００２７】
１００  フットカバー
１０２  第１の生地
１０２Ａ  爪先部
１０２Ｂ  側辺部
１０４  第２の生地
１０４Ａ  足底部
１０４Ｂ  踵部
１０６  縫着部
１０６Ａ  爪先縫着部
１０６Ｂ  側辺縫着部
１０６Ｃ  踵縫着部
１０８  踵伸縮縫着部
１１６  伸縮性細幅生地
１１８  踵伸縮部
Ｆ  足
Ｍ  踝
【図１】
2015045097.tif 000003
【図２】
2015045097.tif 000004
【図３】
2015045097.tif 000005
【図４】
2015045097.tif 000006